(57)【要約】【課題】女性が一日など長時間にわたって同じマスクを使用していても、化粧などがマスクに付着するのを防止することができ、快適性に優れた女性用マスクを提供する。【解決手段】マスク１０は、マスク本体１１と、このマスク本体１１の内側面１１Ａで使用者の鼻及び口を含む顔面の所要部を覆う状態を保持するために、顔の一部に係止させる紐で構成された耳掛け部１２と、を備えている。マスク本体１１の内側面１１Ａの全面に、はっ水はつ油加工剤によりはっ水はつ油処理されている。【選択図】図２
2014155876.tif 000002
【特許請求の範囲】
【請求項１】
使用者の顔面の少なくとも一部を覆うための多層構造を有するマスク本体と、前記マスク本体の両側に設けられた耳掛け部とを備えた立体型女性用マスクであって、化粧の付着を防止するように前記マスク本体の最内層の内側面の全面が、はっ水はつ油加工剤によりはっ水はつ油処理されていることを特徴とする立体型女性用マスク。
【請求項２】
前記マスク本体の立体型の形状が、プリーツ加工型であることを特徴とする請求項１に記載の立体型女性用マスク。
【請求項３】
前記マスク本体が、最内層に予めはっ水はつ油加工剤により全面にはっ水はつ油処理されたシート材を用いていることを特徴とする請求項１または２に記載の立体型女性用マスク。
【請求項４】
前記シート材が、ポリエステル系繊維、ポリプロピレン系繊維、レーヨン系繊維、ナイロン系繊維、アセテート系繊維、羊毛系繊維、コットン系繊維、ウレタン系繊維およびポリエチレン系繊維から選ばれる不織布であることを特徴とする請求項３に記載の立体型女性用マスク。
【請求項５】
前記はっ水はつ油加工剤が、フッ素系加工剤であることを特徴とする請求項１〜４のいずれか１項に記載の立体型女性用マスク。
【請求項６】
多層構造を有するマスク本体と、前記マスク本体の両側に設けられた耳掛け部とを備えた立体型女性用マスクの製造方法であって、シート材の全面をはっ水はつ油加工剤によりはっ水はつ油処理する工程と、前記シート材の該処理面が前記マスク本体の最内層の内側面となるようにして多層構造とした後、プリーツ加工する工程を含むことを特徴とする請求項３〜５のいずれか１項に記載の立体型女性用マスクの製造方法。
【発明の詳細な説明】
【技術分野】
【０００１】
本発明は、風邪ウイルス、花粉、埃からの防護目的などで使用されるマスクに関し、特に、女性が化粧落ちや化粧直しを気にすることなく、長時間快適に装着できる女性用マスクに関する。
【背景技術】
【０００２】
近年、花粉症対策・風邪予防などに効果的なマスクの需要が高まってきている。古くから市販されているマスクとして、概ね矩形状に縫製した複数層のガーゼなどからなるマスク本体と、この本体部の両端に紐やゴムなどの耳掛け部とを備えているものが知られている。一般に吸水性の良好なガーゼマスクが多く普及しており、付け心地がよい反面、長時間使用すると、口や鼻から吐き出される湿った息などのために口や鼻などが触れている内側面が濡れてべとつき、付け心地が悪くなる。
【０００３】
そこで、濡れやべとつきを防止して長時間の快適な使用に耐えうるマスクが提案されている（例えば、特許文献１参照）。このマスクは、図５に示すように、口や鼻孔などを覆う本体１００が、顔面に触れる内側の面（以下、「内側面」とよぶ）に疎水性のシート材１０１と、これとは反対側の面（以下、「外側面」とよぶ）に親水性のシート材１０２と備えている。
【０００４】
別の形態として、マスクの表層、内層、最内層に使用する素材の繊維表面にアルキルシリケート系樹脂、シリコーン系樹脂およびフッ素系樹脂から選ばれた少なくとも１種のバインダーと、光触媒剤を付着させることにより、抗菌性、消臭性、着用快適性を向上させたものも知られている（例えば、特許文献２参照）。
【０００５】
また、ファンデーション、口紅などが直接マスクの内側面に付着して汚れるのを防止するため、交換可能な別体のガーゼを付加的に追加配置させることがよく行われている。ところが、ガーゼは目が粗いので皮膚との接触でファンデーションや口紅を掻き取ってしまい、汚れやすいといった問題があった。そこで、例えば、図６に示すように、皮膚に接触する表面に毛羽たちや凹凸などが少なく滑らかなシート２０１を、マスク本体２００の内側面２００Ａに付加的に追加配置させる構成のものも提案されている（例えば、特許文献３参照）。
【０００６】
さらに、顔面の形状にフィットするように、使用時にマスク本体が立体的な形状に変形可能なマスクも知られている。このようなマスクとしては、不織布などからなるマスク本体に横方向にプリーツ加工を施したプリーツ加工型マスク（例えば、特許文献４参照）や、マスク本体の中心部で２枚のシート部材を合掌形様に接合した立体成形型マスク（例えば、特許文献５参照）がある。
【先行技術文献】
【特許文献】
【０００７】
【特許文献１】特開２００６−３２５６８８号公報
【特許文献２】特開２００４−１５４２０９号公報
【特許文献３】特開平１０−１６５５２７号公報
【特許文献４】特開２００７−６１５３６号公報
【特許文献５】特開２００７−５４３８１号公報
【発明の開示】
【発明が解決しようとする課題】
【０００８】
しかしながら、従来のマスクでは、特に女性の使用時には、化粧（ファンデーション、口紅など）がマスクの内側面に付着することがある。
このため、ファンデーション、口紅などが付着したマスクを長時間（例えば一日中）そのまま使い続けると、不快で衛生的に好ましくない。また、人前でマスクを外すときには、化粧落ちや化粧直しを気にしてしまい、心理的・精神的にも好ましくない。
【０００９】
また、特許文献３に記載のマスクのように、ファンデーション、口紅などの付着を防止するために別体のシートを追加配置した場合は、長時間使用するとマスク本体からシートがずり落ちてきて、マスク本体から外部に露出し易いという問題がある。また、このシートは、しわを発生し易く、そのまま放置するとごわごわするので使用（装着）感も悪く不快感をもたらすおそれもある。
【００１０】
また、特許文献４および５に記載のマスクのように、使用時にマスク本体が立体的な形状となることが可能なものであっても、長時間使用すると、ファンデーションや口紅などの付着を防止することが困難である。また、近年では立体的な形状のマスクであっても、風邪ウイルスや花粉などからより確実に防御するために、マスクの周辺部分を顔面に密着させるものが増えており、このようなマスクにおいてはファンデーションの化粧移りが起こりやすくなる。
【００１１】
本発明は、上記事情に鑑みてなされたものであり、女性が長時間にわたって同じマスクを使用していても、化粧などがマスクに付着するのを防止し、化粧落ちや化粧直しを気にする必要がない、快適性に優れた女性用マスクを提供することを目的とする。
【課題を解決するための手段】
【００１２】
上記の課題は、以下の手段により解決することができる。
上記の課題は、以下の手段により解決することができる。
（１）使用者の顔面の少なくとも一部を覆うための多層構造を有するマスク本体と、前記マスク本体の両側に設けられた耳掛け部とを備えた立体型女性用マスクであって、化粧の付着を防止するように前記マスク本体の最内層の内側面が、はっ水はつ油加工剤によりはっ水はつ油処理されていることを特徴とする立体型女性用マスク。
（２）前記マスク本体が、最内層の内側面の全面にはっ水はつ油処理されていることを特徴とする上記（１）に記載の立体型女性用マスク。
（３）前記マスク本体が、最内層にはっ水はつ油加工剤によりはっ水はつ油処理された不織布を用いていることを特徴とする上記（１）又は（２）に記載の立体型女性用マスク。
（４）前記不織布が、ポリエステル系繊維、ポリプロピレン系繊維、レーヨン系繊維、ナイロン系繊維、アセテート系繊維、羊毛系繊維、コットン系繊維、ウレタン系繊維およびポリエチレン系繊維から選ばれる不織布であることを特徴とする上記（３）に記載の立体型女性用マスク。
（５）前記はっ水はつ油加工剤が、フッ素系加工剤であることを特徴とする上記（１）〜（４）のいずれか１に記載の立体型女性用マスク。
（６）前記マスク本体の立体型の形状が、プリーツ加工型であることを特徴とする上記（１）〜（５）のいずれか１に記載の立体型女性用マスク。
（７）前記マスク本体の立体型の形状が、合掌形様に接合した型であることを特徴とする上記（１）〜（５）のいずれか１に記載の立体型女性用マスク。
【発明の効果】
【００１３】
本発明に係るマスクは、マスク本体の内側面（使用者の顔面に触れる面）がはっ水はつ油処理されているので水分や油分をはじき易く、更に立体的な形状を伴うことで、女性が長時間にわたって同じマスクを装着していても、鼻水や唾液のみならず、水分や油分の多い化粧がマスクに付着するのを防止することができる。したがって、本発明によれば、女性が使用しても、快適性に優れた女性用マスクを提供することができる。
【図面の簡単な説明】
【００１４】
【図１】本発明の実施形態に係るマスクの一例を示す概略図である。
【図２】（ａ）は、図１に示すマスクのプリーツを展開した状態を示す説明図、（ｂ）は、図１に示すマスクの使用状態を示す説明図である。
【図３】（ａ）は、図１に示すマスクの断面斜視図、（ｂ）は図３（ａ）の部分拡大図である。
【図４】（ａ）は、本発明の実施形態に係るマスクの一例を示す概略図、（ｂ）は、図４（ａ）に示すマスクの使用状態を示す説明図である。
【図５】従来のマスクの一例を示す断面図である。
【図６】従来の別のマスクの一例を示す斜視図である。
【発明を実施するための形態】
【００１５】
以下、本発明について添付図面を参照しながら詳細に説明する。
図１は、本発明の実施形態に係るマスク１０を示すものである。図１に示すように、このマスク１０は、使用者の顔面（例えば、口や鼻孔の周辺）を覆うためのマスク本体１１と、このマスク本体１１の両側に設けられた細紐で構成される耳掛け部１２とを備えている。
【００１６】
図１に示すマスク１０はいわゆる「プリーツ加工型」と呼ばれる形態のものであり、マスク本体１１は、複数（図１では４本）の横方向の折り目１４から形成されるプリーツ１６を有している。プリーツ１６は、図１に示す状態では２つの略Ω字状に折り畳まれており、プリーツ１６を展開すると、図２（ａ）および（ｂ）に示すように外側に向かって膨らむ立体形状となるように構成されている。このように、本実施形態ではマスク本体１１がプリーツ加工されているので、唇や口元などがマスク本体１１の内側面１１Ａに物理的に接触することが少なくなるので、化粧の付着防止に役立ち、また呼吸や会話の妨げになり難くなる。
【００１７】
マスク本体１１を構成する材料としては、一般にマスクの材料として周知の材料を用いることができる。具体的には、ポリエステル系繊維、ポリプロピレン系繊維、レーヨン系線維、ナイロン系線維、アセテート系線維、羊毛系線維、コットン系線維、ウレタン系線維、ポリエチレン系線維などからなる不織布や、ガーゼ、紙、透湿性樹脂シートなどが挙げられる。これらのうち、はっ水はつ油処理に適した材料は、ポリエステル系線維、レーヨン系線維、ナイロン系線維、ガーゼ、紙、透湿性樹脂シートなどである。中でも、加工性の観点から、ポリエステル系繊維やポリプロピレン系繊維などからなる不織布（以下、それぞれポリエステル不織布、ポリプロピレン不織布と略称する。）を使用することが好ましい。
【００１８】
マスク本体１１は、図３（ａ）および（ｂ）に示すように、複数のシート材１５（図３では、最外層１５Ａ、２層の中間層１５Ｂ、最内層１５Ｃの計４層）からなる多層構造を有することが好ましい。このようにマスク本体１１が多層構造を有することにより、マスク本体１１の耐久性を向上させることができる。具体的には、中間層１５Ｂとしては、ポリエステル不織布、ポリプロピレン不織布などを使用することが好ましい。また、最内層１５Ｃは、肌触りがよく、かつ、はっ水はつ油処理や耐熱加工性に優れていることから、ポリエステル不織布を使用することが好ましい。
【００１９】
また、好みに応じて最外層１５Ａに着色剤や香料や柄模様を付与したり、中間層１５Ｂおよび最内層１５Ｃに抗菌性、保湿性などを付与するなど、各層に対して適宜所望の処理を施すことができる。特に、着色剤としてはピンク系、オレンジ系、ラベンダー系、イエロー系などの色が、香料としてはアロマ系などの香りが、柄模様としてはハート柄、チェック柄、花柄、レース柄などの模様が好ましい。
耳掛け部１２を構成する材料としては、一般に用いられている周知の材料を使用することができる。
【００２０】
また、マスク本体１１の内側面１１Ａ（図２（ｂ））には、はっ水はつ油加工剤によりはっ水はつ油処理が施されている。はっ水はつ油処理は、マスク本体１１の内側面１１Ａの一部又は全面に施すことができる。この処理により、マスク本体１１の内側面１１Ａにはっ水はつ油性が付与されているので水分や油分をはじき易く、一般に水分や油分の多いファンデーションや口紅などの化粧品がマスクの内側面に付着し難い構成となっている。
【００２１】
更に、必要に応じて耳掛け部１２にもはっ水はつ油処理を施すことが可能である。その場合、耳掛け部１２の材料としては、ポリエステル系線維、レーヨン系線維、ナイロン系線維、ガーゼ、紙、透湿性樹脂シートなどが好ましい。
【００２２】
一般に、図２に示すようなプリーツ加工されたマスクでは、平面状のマスクに比べて唇や口元などが内側面１１Ａに接触しにくくなっているが、長時間（丸一日など）使用している間に立体形状が崩れたり、呼吸や会話によって内側面１１Ａが口元に吸い寄せられたりして、内側面１１Ａが使用者の顔面に接触し、化粧などが付着するおそれがある。また、マスク本体１１と顔面とが密着する部分１８Ａ，１８Ｂでは、顔面と擦れて化粧が移りやすくなる。しかしながら、本実施形態においては、上記のようにマスク本体１１の内側面１１Ａがはっ水はつ油処理されているので、ファンデーションや口紅などの化粧移りを防止でき、化粧落ちを回避することができる。
【００２３】
はっ水はつ油加工剤としては、人体に対して安全性の高い材料であれば周知のものを使用することができるが、皮膚に対し刺激が少ないものを使用することがより好ましい。具体的には、フッ素系樹脂を含むフッ素系加工剤、シリコン系樹脂を含むシリコン系加工剤、パラフィン系加工剤、ワックス系加工剤などが挙げられ、中でもフッ素系加工剤を使用することが好ましい。フッ素系加工剤としては、フッ素樹脂エマルション、フッ素樹脂水溶液などを使用することができる。
また、はっ水はつ油加工剤は、液状、粉末状など種々の形態のものを使用できる。
【００２４】
はっ水はつ油加工剤による処理方法としては、特に限定されず、スプレー、ロール、刷毛などの手段による塗布や含浸など適宜の方法で添着・塗布することができる。処理条件としては、例えばはっ水はつ油加工剤としてフッ素系加工剤を使用した場合、処理温度は通常２０℃から７０℃、好ましくは２０℃から４０℃、処理時間は、用いる材料の大きさや処理方法にもよるが、通常数秒から数分程度で十分ある。なお、はっ水はつ油加工剤の使用量は当業者が適宜設定することができる。
また、はっ水はつ油加工剤の添着・塗布後、適宜乾燥させることが好ましい。乾燥工程としては、通常１００℃から１７０℃で１０秒から５分乾燥するが、好ましくは１００℃から１２０℃で１０秒から５分乾燥し、更に１５０℃から１７０℃で１０秒から５分乾燥する二段階乾燥がよい。
【００２５】
また、マスク本体１１の上辺部分には、ノーズフィッター１３が設けられている。ノーズフィッター１３としては、金属製、ポリエチレン製などから形成されるテープを使用することができる。
【００２６】
なお、本発明は上述した実施形態に何ら限定されるものではなく、その要旨を逸脱しない範囲において種々の形態で実施し得るものである。
例えば、上記実施形態においては、プリーツ加工が施されたマスク１０を一例として示したが、図４に示すようないわゆる「立体成形型マスク」と呼ばれる形態のマスクにも本発明を適用することができる。
【００２７】
すなわち、図４（ａ）および（ｂ）に示すマスク４０は、左右一対の扇型のシート材４４Ａ，４４Ｂを接合部４３で接合させて形成したマスク本体４１と、耳掛け部４２とを備えている。接合部４３は外側に突出する曲線に形成されており、シート材４４Ａ，４４Ｂを左右に開くことによって外側に向かって膨らむ立体形状となるように構成されている。
このマスク本体４１の内側面４１Ａにも、はっ水はつ油加工剤によるはっ水はつ油処理が施されているので、内側面４１Ａにファンデーションや口紅などが付着し難く、化粧崩れも回避でき、快適に使用できる。
【００２８】
また、本発明に係るマスクは、上記のような立体成形マスクのほかにも、平面状のガーゼマスクなどにも適用することができる。ガーゼマスクに本発明を適用した場合は、上記効果が得られるのに加え、口当てシートなどを付加的に追加配置させる必要がないので使用感の低下を防止することができる。
【００２９】
さらに、上記実施形態においては、マスク本体１０が４層のシート材１５から形成された形態を例示したが、本発明に係るマスクはこれに限定されず、４層以外の多層構造を有するものでも良いし、単層であってもよい。
本発明のマスクは、女性の使用に適したものであるが、男性の使用を妨げるものではない。また小人も使用することができる。
【実施例】
【００３０】
ファンデーションや口紅などの化粧をした女性の被験者に対して、本発明に係るマスク及び従来のマスクを装着したときの化粧移りの程度を比較・検証した。具体的には、表１に示すタイプのファンデーション及び口紅をそれぞれ用いて化粧をした被験者４名（Ａ，Ｂ，Ｃ，Ｄ）に、丸１日にわたりマスクを装着させた。実施例（本発明品）、比較例および参考例のマスクとして、図１のマスク１０と同様の形状のもの（プリーツ加工型）を用いた。
【００３１】
また、マスク本体１１は４層のシート材を用いて形成し、シート材は、外側から順にポリエステル不織布−ポリプロピレン不織布−ポリプロピレン不織布−ポリエステル不織布を使用した。
実施例１および参考例においては、マスク本体１１の内側面１１Ａにフッ素樹脂エマルションによりフッ素コートしたものを使用した。具体的には、最内層のシート材として、幅１ｍ×縦５ｍのポリエステル不織布をフッ素樹脂エマルションに２５℃にて数秒間含浸させた後、１１０℃にて９０秒乾燥し、更に１６０℃にて３０秒乾燥させたものを使用した。
比較例１，２では内側面１１Ａに何も処理していないものを使用した。
上記の不織布を用いた以外は、通常の方法でプリーツ加工型マスクを製造した。
また、参考例及び比較例１ではプリーツを開かないで平面状でマスクを装着させ、実施例１及び比較例２ではプリーツを開いて立体形状でマスクを装着させた。
【００３２】
使用後、各被験者は、マスクの内側面に化粧がついているかどうかを目視にて観察し、マスク使用後に化粧直しが必要かどうかを点数評価した。点数評価は以下の要領で行った。この評価結果を表２に示す。
（使用後評価）
・３点：化粧がついておらず、化粧直しも全く必要ない。
・２点：少し化粧がついていたが、化粧直しは不必要。
・１点：化粧がついており、化粧直しも必要。
・０点：かなり化粧がついており、すぐに化粧直しが必要。
【００３３】
【表１】
2014155876.tif 000003
【００３４】
【表２】
2014155876.tif 000004
【００３５】
表２に示すように、４人中３人までがフッ素コートを施したマスク（参考例，実施例１）は、何も処理していないマスク（比較例１，２）に比べて、化粧移りが少なく、特に、立体形状で使用したときは、化粧直しの必要性を全く感じないとの結果であった。以上より、本発明のマスクは女性にとって快適性に優れたものであることが示された。
【符号の説明】
【００３６】
１０，４０  マスク
１１，４１  マスク本体
１１Ａ、４１Ａ  内側面
１２，４２  耳掛け部
【図１】
2014155876.tif 000005
【図２】
2014155876.tif 000006
【図３】
2014155876.tif 000007
【図４】
2014155876.tif 000008
【図５】
2014155876.tif 000009
【図６】
2014155876.tif 000010